(57)【要約】【課題】本発明は、樹脂製のチャックであっても芯保持力に優れたシャープペンシルを提供することを課題とする。【解決手段】前方に２つの弾性片３ａを形成した樹脂製のチャック３に締具４を外嵌し、弾性片３ａの内側に形成した芯保持部３ｅで芯５の保持を可能とし、芯保持部３ｅの両端部に軸方向に延びる膨出部３ｆを形成し、膨出部３ｆの基端部から弾性片３ａが芯５を挟持する方向に対して直交する方向に対して直行する方向に延びる平坦部３ｉを形成し、平坦部３ｉ同士に隙間を形成した構造。【選択図】図１
2015205416.tif 000002
【特許請求の範囲】
【請求項１】
前方に２つの弾性片を形成した樹脂製のチャックと該チャックの外側に配設した締具とを有し、前記弾性片の中央に軸方向に延びる溝状の芯保持部を形成し、前記締具で前記弾性片を互いに接近するよう軸心方向に向かって締め付けることにより前記芯保持部で芯を保持し、前記チャックを前進させることで前記芯を繰り出す芯繰り出し機構を備え、前記チャックが前記芯保持部の両端部に該芯保持部に沿った膨出部と、前記弾性片が前記芯を挟持する方向に対して直交する方向に前記膨出部の基端部から前記弾性片の外縁を結ぶよう形成した平坦部とを有し、前記チャックで前記芯を保持した際、前記平坦部同士の間に隙間を設け、前記平坦部同士の隙間が前記膨出部同士の隙間より大きく、且つ芯径より小さくなることを特徴としたシャープペンシル。
【請求項２】
前記チャックを前進させて芯を繰り出す際、前記チャックの２つの弾性片同士が最大に離間した状態でも該チャック先端部における前記弾性片の膨出部同士の隙間が芯径より小さくなることを特徴とした請求項１に記載のシャープペンシル。
【発明の詳細な説明】
【技術分野】
【０００１】
本発明は、チャックを前進させることで芯を繰り出す構造のシャープペンシルに関する。
【背景技術】
【０００２】
シャープペンシルに用いられるチャックは、先端を複数に分割して弾性片を形成し、弾性片の外周を締具で締め付けることにより、弾性片の内側に設けた芯保持部で芯を保持する構造になっており、チャックは金属や樹脂が素材として用いられているが、樹脂製のチャックは射出成形により成形して金属製に比べてコストを下げることができることから、近年、低価格品を中心に広く採用されている。しかしながらチャックに樹脂を用いた場合、成形時の寸法安定性が低く、さらに芯の保持力が弱くなる傾向があり、芯径が細くなればなるほど、その傾向が強くなるという問題があった。
そこで、樹脂製チャックにおいて芯の保持力を向上させる手段として、特許文献１ではチャック先端の咬持部から後端近傍にかけて軸線方向に３分割し、咬持部はその一片の分割面のなす角度が１２０°以下か、もしくは分割面の外周部が切り欠かれ、締具がチャックの外周面に係合したときに、外周面と締具との間に軸線方向の隙間を形成することで、締具の締め付け力を中心部に強く作用させ、芯の保持力を強くさせる構成が開示されている。
また、特許文献２では樹脂製のチャック要素（弾性片）同士の円周方向の隙間を０．１５ｍｍ以下とすることで、チャック要素に保持された芯がチャック要素と接触する面積を大きくして、芯の保持力を向上させる構成が開示されている。
【０００３】
しかしながら、特許文献１の構成では、樹脂製でありながらチャック先端を３分割して形成することから、射出成形により成形する際、成形樹脂の流動性が悪化することで、３つの分割片を均等な状態に成形することが難しいという問題点があった。
また、特許文献２の構成では、樹脂製であるチャック要素同士の隙間を０．１５ｍｍ以下としていることから、チャック要素の成形時の寸法ばらつきによって、締具でチャックを締付けた際に、チャック要素の外縁同士が接触し易く、芯を保持する芯保持部を軸心方向に締め付ける力が弱くなり、芯の保持力低下を招く恐れがあった。
【先行技術文献】
【特許文献】
【０００４】
【特許文献１】特開平９−１２２６８４号公報
【特許文献２】実開昭６３−１２４１８５号公報
【発明の概要】
【発明が解決しようとする課題】
【０００５】
本発明は、前記問題を鑑みて、樹脂製チャックであっても芯保持力に優れたシャープペンシルを提供することを課題とする。
【課題を解決するための手段】
【０００６】
本発明は、
「１．前方に２つの弾性片を形成した樹脂製のチャックと該チャックの外側に配設した締具とを有し、前記弾性片の中央に軸方向に延びる溝状の芯保持部を形成し、前記締具で前記弾性片を互いに接近するよう軸心方向に向かって締め付けることにより前記芯保持部で芯を保持し、前記チャックを前進させることで前記芯を繰り出す芯繰り出し機構を備え、前記チャックが前記芯保持部の両端部に該芯保持部に沿った膨出部と、前記弾性片が前記芯を挟持する方向に対して直交する方向に前記膨出部の基端部から前記弾性片の外縁を結ぶよう形成した平坦部とを有し、前記チャックで前記芯を保持した際、前記平坦部同士の間に隙間を設け、前記平坦部同士の隙間が前記膨出部同士の隙間より大きく、且つ芯径より小さくなることを特徴としたシャープペンシル。
２．前記チャックを前進させて芯を繰り出す際、前記チャックの２つの弾性片同士が最大に離間した状態でも該チャック先端部における前記弾性片の膨出部同士の隙間が芯径より小さくなることを特徴とした１項に記載のシャープペンシル。」である。
【０００７】
本発明のシャープペンシルは、弾性片を締具で締め付けて該弾性片で芯を保持した際、
芯保持部のほか、芯保持部の両側に設けた膨出部でも芯を保持しているため、芯保持力を向上させることができる。
尚、一般的に、シャープペンシルで使用されるチャックと締具との関係は、互いの方向性を考慮せずに組み立てが行えるように、締具を円環形状とし、その中に入るチャックの外側面は締具の内孔に当接するよう円弧状に形成して、チャックの周りで締具が回動できるようにしてあることから、チャックの断面形状は芯保持部の部分が厚くなり、端に行くにしたがって薄くなっている。したがって、チャックを射出成形で形成した際に、肉厚が大きい芯保持部が成形収縮で薄くなり、その結果、チャックが芯を保持保持した際に平坦部同士が近づく場合もあるが、本発明では平坦部の間に隙間を設けたことにより、平坦部同士の接触を防止することが、締具による締め付け力が基点である芯保持部に対して確実に働くため、芯の保持力を安定させることができる。
【０００８】
更に、芯保持部で芯を保持した際の弾性片の平坦部同士の隙間を芯径より小さくすることで、チャックと芯ホルダーの間で芯折れが発生しても折れた芯が前部からチャックの弾性片の平坦部同士の隙間に入ることを防止でき、芯の保持力の低下や動作不良を防止できる。
【０００９】
また、芯を繰り出すためにチャックを前進させ、チャックの弾性片を締具の締め付けから解放して弾性片同士が最大に離間した状態においても、相対する弾性片の膨出部同士の隙間を芯径より小さくすることで、芯保持部内で芯が折れた場合や芯タンクより折れた芯がチャックに供給された場合でも、折れ芯が芯保持部から弾性片の平坦部同士の隙間に移動して挟まって、芯の繰り出しを阻害してしまうような状況を防止でき、折れ芯をチャック先端から先口を通して外部へ排出させることができるものとなる。
【発明の効果】
【００１０】
本発明では、チャックを樹脂で形成しても、芯保持力が優れたシャープペンシルを提供することが可能となった。
【図面の簡単な説明】
【００１１】
【図１】本実施例のシャープペンシルにおける要部を示す断面図である。
【図２】本実施例のチャックを示す正面図である。
【図３】本実施例のチャックを示す平面図である。
【図４】本実施例のチャックの前端を示す端面図である。
【図５】図２におけるＡ−Ａ断面を示す断面図である。
【図６】本実施例のシャープペンシルを示す断面図である。
【図７】図６におけるチャックと締具と芯との関係をＢ−Ｂ線間において矢視方向から視た図である。
【図８】本実施例のシャープペンシルにおけるチャックを前方に移動させた状態を示す断面図である。
【図９】図８におけるチャックと芯との関係をＣ−Ｃ線間において矢視方向から視た図である。
【発明を実施するための形態】
【実施例】
【００１２】
次に図１から図９を参照しながら、本実施例のシャープペンシルの説明をするが、本発明は以下の実施例に限定されるものではない。尚、図１におけるシャープペンシル１の先口２がある方を前方と表現し、その反対を後方と表現する。
【００１３】
樹脂製のチャック３は、図２、３に示すように、チャック３の前部に２つの弾性片３ａを形成し、弾性片３ａの前端に形成した頭部は、図４及び図５に示すようにチャック３の先端に形成される略半円形の最大径部３ｂと隆起部３ｃとで構成してある。また、最大径部３ｂの曲率半径は、先口２の内部の摺動孔２ａの半径よりわずかに小さく、且つ、円環形状の締具４の内孔４ａの半径より大きく形成してある。更に隆起部３ｃの断面形状は両側がカットされた半円形状で形成され、隆起部３ｃの外周面３ｄの曲率半径は長手方向で変化しないように形成してある。（図１参照）
【００１４】
また、弾性片３ａの内側に設けられた芯保持部３ｅは軸方向に延びる円弧状に形成してあり、芯保持部３ｅの曲率半径は芯保持部３ｅで保持される芯５の半径と同じかわずかに小さく形成してある。更に、芯保持部３ｅの両側には該芯保持部３ｅに沿って軸方向に延びる膨出部３ｆを形成してある。また、膨出部３ｆの側壁の基端部３ｇから、弾性片の外縁３ｈまで延びる平坦部３ｉを膨出部３ｆに沿ってが形成してある。
【００１５】
また、チャック３は、ポリアセタール中にグラスファイバーを入れた成形樹脂により射出成形で形成してあり、チャックの前端の弾性片が拡かれた状態で成形してある。
【００１６】
次に、図１及び図６を用いて、本実施例のシャープペンシル全体の構成を説明する。軸筒６は後端部から前方に向かってクリップ部６ａを形成してある。また、前端部６ｂの外側に雄螺子部６ｃを形成し、先口２の後部内側に形成した雌螺子部２ｂと螺合してある。
【００１７】
また、筒体７を軸筒６の前部内孔６ｄから挿入し、筒体７の鍔部７ａを軸筒６の前端６ｅと先口２の後方段部２ｃとで挟持して固定してある。更に筒体７の先端内孔７ｂから締具４を外嵌したチャック３を挿入し、チャック３の後部に形成した突状部３ｊを芯タンク８の内孔８ａに圧入して固着してある。尚、締具４は先口２の中間部内段２ｄと筒体７の前端７ｄとの間に遊嵌される。また、芯タンク８の前端８ｂと筒体７の内段７ｃとの間にスプリング９を配設することでチャック３と芯タンク８とを後方に弾発してある。
【００１８】
更に、芯タンク８の後方外周部８ｃを押棒１０の前部内孔１０ａに圧入して固着し、押棒１０の後方内孔１０ｂには消しゴム１１が取り外し可能に取り付け、消しゴム１１を覆うノブ１２が押棒１０の後方外周部１０ｃに取り外し可能に外嵌してある。
【００１９】
先口２の外形は先端が先細りとなるよう円錐状に形成してあり、先口２の内孔は段状に形成してある。また、先口２の前部内孔２ｅには芯５を適度な力で保持するゴム製の芯ホルダー１３が圧入固着してあり、先口２の先端内孔２ｆは芯５の外径よりわずかに大きく形成してある。
【００２０】
次に図６から図９を用いてチャック３で芯５を保持した状態とノブ１２を押動してチャック３を前進させ芯を繰り出す状態について説明する。
【００２１】
図６は実施例のシャープペンシル１において、チャック３で芯５を保持した状態を示している。
芯５をチャック３の芯保持部３ｅで保持している状態では、図７に示すように、チャック３の平坦部３ｉ同士の隙間Ｌ１を芯５の外径Ｄより小さく構成するとともに、Ｌ１を膨出部３ｆ同士の隙間Ｌ２よりも大きく構成してある。
更に、本実施例のチャック３は、相対する平坦部３ｉがチャック３で芯５を保持した際に軸心に沿って平行になるようにしてあり、芯保持部３ｅで芯５を保持している状態では平坦部３ｉ同士の隙間Ｌ１に芯５が入ることを防止できる。
また、図４や図５で示したように本実施例の弾性片３ａは芯保持部３ｅ付近における芯挟持方向の肉厚が最も厚くなり、平坦部３ｉの外縁３ｈ付近の肉厚が最も薄くなる。このため、成形時に芯保持部３ｅ付近にヒケが発生して薄くなり易く、その結果、チャック３が芯５を保持した際に平坦部３ｉ同士が近づくことがあるが、平坦部３ｉ同士の間には隙間Ｌ１が形成されていることから、弾性片３ａの平坦部３ｉ同士が接触することを防ぎ、芯保持部３ｅに対して締具４で締め付けられたチャック３の挟持力が集中するため、芯保持力を向上させることができた。
【００２２】
次に、ノブ１２を前方側に押動することで図８に示すように芯タンク８とチャック３とが前進し、チャック３の弾性片３に外嵌されていた締具４の前端が先口２の中間部内段２ｄに当接してチャック３から外れ、弾性片３ａは解放状態になり先口２の摺動孔２ａの内面に当接するまで拡開する。更にノブ１２を押動することでチャック３の前端面３ｋと先口２の前部内段２ｇとが当接してチャック３の前進は停止する。この際、図９に示すようにチャック２の２つの弾性片３ａが最大に離間した状態となるが、この状態において膨出部３ｆ同士の隙間Ｌ３を芯の直径Ｄよりも小さくなるよう構成してあるため、たとえ芯が折れて短い状態であっても芯保持部３ｅから弾性片３ａの平坦部３ｉ同士の隙間に芯が入り込むことはない。また、チャック３の前端面３ｋは芯ホルダー１３の後端部１３ａに近接状態にあるため、折れた芯は芯保持部３ｅから芯ホルダー１３の内孔１３ｂにスムーズに移動し、更に先口２の先端内孔２ｆを通して外部に排出される。
【００２３】
尚、ノブ１２を押動してチャックを前進させる際、チャック３の最大径部３ｂの曲率半径が先口２の摺動孔２ａの半径よりわずかに小さく形成されているので、チャック３が拡開した時に先口２の摺動孔２ａと軸心が一致し、チャック３の芯保持部３ｅが中心に位置するために、芯タンク８の芯５が確実にチャック３の芯保持部３ｅ内に到達することができる。
【００２４】
また、チャック３の最大径部３ｂの曲率半径が締具４の内孔４ａの半径より大きく形成され、最大径部３ｂの幅が締具４の内孔４ａより大きく設定されているで、チャック３の頭部がスプリング９によって締具４に圧接され、チャック３が閉じられた時でもチャック３の頭部が円環形状の締具４から抜けてしまうことがなかった。
【産業上の利用可能性】
【００２５】
本発明によるシャープペンシルの構造は、ノック式や振出式のシャープペンシルのほか、棒状物の繰り出し容器にも利用可能である。
【符号の説明】
【００２６】
１…シャープペンシル、
２…先口、２ａ…摺動孔、２ｂ…雌螺子部、２ｃ…後方段部、２ｄ…中間部内段、
２ｅ…前部内孔、２ｆ…先端内孔、２ｇ…前部内段、
３…チャック、３ａ…弾性片、３ｂ…最大径部、３ｃ…隆起部、３ｄ…外周面、
３ｅ…芯保持部、３ｆ…膨出部、３ｇ…基端部、３ｈ…外縁、３ｉ…平坦部、
３ｊ…突状部、３ｋ…前端面、
４…締具、４ａ…内孔、
５…芯、
６…軸筒、６ａ…クリップ部、６ｂ…前端部、６ｃ…雄螺子部、６ｄ…前部内孔、
６ｅ…前端、
７…筒体、７ａ…鍔部、７ｂ…先端内孔、７ｃ…内段、７ｄ…前端、
８…芯タンク、８ａ…内孔、８ｂ…先端、８ｃ…後方外周部、
９…スプリング、
１０…押棒、１０ａ…前端内孔、１０ｂ…後方内孔、１０ｃ…後方外周部、
１１…消しゴム、
１２…ノブ、
１３…芯ホルダー、１３ａ…後端部、１３ｂ…内孔。
【図１】
2015205416.tif 000003
【図２】
2015205416.tif 000004
【図３】
2015205416.tif 000005
【図４】
2015205416.tif 000006
【図５】
2015205416.tif 000007
【図６】
2015205416.tif 000008
【図７】
2015205416.tif 000009
【図８】
2015205416.tif 000010
【図９】
2015205416.tif 000011